(57)【要約】【課題】本発明は、金型を分解することなく通気路の清掃を行え、生産性の高い金型装置の提供を目的とする。【解決手段】金型装置(1)は、一対の金型(2, 3)と、これら金型(2, 3)の間に形成され、溶融した樹脂材料を充填することで成形品(8)を得る成形空間(5)とを備えている。一方の金型(2)には、成形空間(5)に向けて突出することにより、成形品(8)を一方の金型(2)から取り出す突き出しピン(4)が設けられている。突き出しピン(4)は、成形空間(5)と一方の金型(2)の外部とを結ぶ通気路(22)を有している。【選択図】      図１
2006326974.tif 000002
【特許請求の範囲】
【請求項１】
一対の金型と、
上記金型の間に形成され、溶融した樹脂材料を充填することで成形品を得る成形空間と、
一方の金型に設けられ、上記成形空間に向けて突出することにより、上記成形品を上記一方の金型から取り出す突き出しピンと、を具備し、
上記突き出しピンは、上記成形空間と上記一方の金型の外部とを結ぶ通気路を有することを特徴とする金型装置。
【請求項２】
請求項１の記載において、上記一方の金型は、上記突き出しピンが軸方向に摺動可能に嵌合するガイド孔を有し、上記通気路は、上記突き出しピンの外周面と上記ガイド孔の内面との間に形成されることを特徴とする金型装置。
【請求項３】
請求項２の記載において、上記突き出しピンは、上記ガイド孔に摺動可能に嵌合する本体と、この本体の先端に設けられ、上記成形品を押し出す押圧面を有する頭部とを備え、上記通気路は、上記頭部の外周面と上記ガイド孔の内面との間に形成される第１の隙間と、上記本体の外周面の一部と上記ガイド孔の内面との間に形成される第２の隙間とを含み、上記第１の隙間は、上記頭部の周方向に連続して上記成形空間に開口する開口形状を有し、上記第２の隙間は、上記第１の隙間に連続するとともに上記本体の軸方向に延びていることを特徴とする金型装置。
【請求項４】
請求項３の記載において、上記突き出しピンは、上記頭部と上記本体との間に上記突き出しピンの周方向に連続する溝部を有し、上記第１および第２の隙間は、上記溝部を介して互いに連通することを特徴とする金型装置。
【請求項５】
請求項４の記載において、上記溝部の底と上記ガイド孔の内面との間のクリアランスは、上記頭部の外周面と上記ガイド孔の内面との間のクリアランスよりも大きいことを特徴とする金型装置。
【請求項６】
請求項４又は請求項５の記載において、上記突き出しピンの本体は、上記溝部に露出する端面と、この端面と上記本体の外周面とで規定される角部とを有し、この角部は、上記ガイド孔の内面に摺動可能に接触する尖った縁を含むことを特徴とする金型装置。
【請求項７】
請求項４の記載において、上記頭部の外周面および上記溝部は、上記突き出しピンが上記成形品を一方の金型から押し出す位置まで移動した時に、上記一方の金型から上記成形空間の方向に突出することを特徴とする金型装置。
【請求項８】
一対の金型と、
上記金型の間に形成され、溶融した樹脂材料を充填することで成形品を得る成形空間と、
一方の金型に設けられ、上記成形空間に向けて突出することにより、上記成形品を上記一方の金型から取り出す複数の突き出しピンと、を具備し、
少なくとも一部の突き出しピンと上記一方の金型との間に、上記成形空間から上記金型の外部に至る通気路を形成し、この通気路のうち上記成形空間に開口する上流端は、上記突き出しピンの周方向に連続する開口形状を有することを特徴とする金型装置。
【請求項９】
請求項８の記載において、上記一方の金型は、上記突き出しピンが軸方向に摺動可能に嵌合するガイド孔を有し、上記通気路は、上記突き出しピンの外周面と上記ガイド孔の内面との間に形成されることを特徴とする金型装置。
【請求項１０】
請求項９の記載において、上記突き出しピンは、上記ガイド孔に摺動可能に嵌合する本体と、この本体の先端に設けられ、上記成形品を押し出す押圧面を有する頭部と、上記本体と上記頭部との間に設けられ、上記突き出しピンの周方向に連続する溝部とを備え、上記通気路は、上記頭部の外周面と上記ガイド孔の内面との間に形成される環状の第１の隙間と、上記本体の外周面の一部と上記ガイド孔の内面との間に形成され、上記本体の軸方向に延びる第２の隙間とを有し、上記第１および第２の隙間は、上記溝部を介して互いに連通することを特徴とする金型装置。
【請求項１１】
一対の金型と、
上記金型の間に形成され、溶融した樹脂材料が充填される成形空間と、
一方の金型に設けられ、上記成形空間に露出するピンと、
上記ピンと上記一方の金型との間に設けられ、上記成形空間から上記一方の金型の外部に至る通気路と、を具備したことを特徴とする金型装置。
【請求項１２】
請求項１１の記載において、上記通気路は、上記成形空間に開口する上流端を有し、この上流端は、上記ピンの周方向に連続する開口形状を有することを特徴とする金型装置。
【発明の詳細な説明】
【技術分野】
【０００１】
本発明は、例えばポータブルコンピュータのような電子機器の筐体を成形する際に用いる金型装置に係り、特に溶融した樹脂材料が充填される成形空間から空気やガスを抜くための構造に関する。
【背景技術】
【０００２】
ポータブルコンピュータ用の筐体は、製品の小型・軽量化を実現するため樹脂材料によって成形することが多い。この種の樹脂製品は、一般に金型装置を用いて大量生産される。金型装置は、開閉可能に組み合わされる一対の金型を備えており、これら金型の間に成形空間が形成されている。成形空間は、樹脂製品に対応する形状をなしており、この成形空間に溶融した樹脂材料を注入して硬化させることで、所望の形状を有する樹脂製品が得られるようになっている。
【０００３】
ところで、樹脂材料を成形空間に注入する以前の段階では、成形空間は空気で満たされている。そのため、樹脂材料を成形空間の隅々にまで満遍なく行き渡らせるためには、成形空間に残留する空気を速やかに排出する必要がある。
【０００４】
すなわち、成形空間に樹脂材料を注入した時に、この成形空間に空気が残っていると、この空気が樹脂材料の円滑な流動を妨げることになる。この結果、成形完了後の樹脂製品は、その形状の一部を欠損した不良品となってしまう。それとともに、成形空間に残った空気に樹脂材料が接触するので、この接触に伴う摩擦熱により樹脂製品の表面が焼けてしまうこともあり得る。
【０００５】
加えて、成形空間に注入する樹脂材料は、例えば難燃剤のような各種の添加物を含んでいる。そのため、樹脂材料の種類によっては、成形空間に注入した時に添加物が気化して大量のガスを発することがあり、このガスも成形空間内での樹脂材料の流動を妨げる一つの要因となる。
【０００６】
したがって、成形空間内での樹脂材料の流動性を確保するためには、成形空間内の空気およびガスの排出を促進させることが必要となる。
【０００７】
この対策として、従来の金型装置では、成形空間から空気やガスを排出するためのガス抜き入れ子を組み込んでいる。ガス抜き入れ子としては、極めて微細な通気孔を有する入れ子ピン、あるいはガス抜き溝を有する複数のプレートを重ね合わせて連結した入れ子ブロックが知られている。
【０００８】
入れ子ピンおよび入れ子ブロックは、いずれの場合も成形空間に露出する金型の内面に埋め込んで使用するようになっている。このため、入れ子ピンおよび入れ子ブロックは、金型の内面と同一面上に位置するベント面を有し、このベント面に通気孔およびガス抜き溝が開口している。
【０００９】
よって、成形空間に残る空気や樹脂材料の注入時に発生するガスは、通気孔およびガス抜き溝を介して金型の外に抜け出るようになっている（例えば、非特許文献１参照）。
【非特許文献１】株式会社ミスミ、プラ型用標準部品のカタログ、２００３．５→２００５．４、Ｐ．４８７−４８８、Ｐ．１０１５−１０１６
【発明の開示】
【発明が解決しようとする課題】
【００１０】
従来の金型装置によると、入れ子ピンおよび入れ子ブロックのベント面が成形空間に露出している。このため、金型装置を繰り返し使用した時に、入れ子ピンの微細な通気孔や入れ子ブロックのガス抜き溝に樹脂材料が入り込んだり、樹脂材料に含まれる添加剤がペースト状となって付着するのを避けられない。よって、入れ子ピンおよび入れ子ブロックは、定期的に清掃して目詰まりを防ぐことが必要となる。
【００１１】
しかしながら、入れ子ピンおよび入れ子ブロックは、金型とは独立した別部品であり、個々に金型に埋め込まれているので、入れ子ピンや入れ子ブロックを清掃するためには、その都度、金型を分解して金型から取り出さなくてはならない。
【００１２】
このため、入れ子ピンや入れ子ブロックの取り出しおよび組み込み作業に多大な手間と労力を要し、入れ子ピンおよび入れ子ブロックの清掃に費用と時間がかかる。しかも、入れ子ピンおよび入れ子ブロックの清掃時は、樹脂製品の生産活動が停止するので、生産性が悪化するといった不具合がある。
【００１３】
本発明の目的は、金型を分解することなく通気路の清掃を行え、生産性の高い金型装置を得ることにある。
【課題を解決するための手段】
【００１４】
上記目的を達成するため、本発明の一つの形態に係る金型装置は、  
一対の金型と、上記金型の間に形成され、溶融した樹脂材料を充填することで成形品を得る成形空間と、一方の金型に設けられ、上記成形空間に向けて突出することにより、上記成形品を上記一方の金型から取り出す突き出しピンと、を備えており、  
上記突き出しピンは、上記成形空間と上記一方の金型の外部とを結ぶ通気路を有することを特徴としている。
【発明の効果】
【００１５】
本発明によれば、突き出しピンを一方の金型から突出させることで、成形空間に連なる通気路の端部を露出させることができる。このため、通気路の清掃作業を金型を分解することなく容易に行え、成形品の生産活動を長時間に亘って停止させる必要はない。よって、生産性に優れた金型装置を得ることができる。
【発明を実施するための最良の形態】
【００１６】
以下本発明の実施の形態を図面に基づいて説明する。
【００１７】
図１は、樹脂成形用の金型装置１を開示している。この金型装置１は、第１の金型２、第２の金型３および複数の突き出しピン４を備えている。
【００１８】
第１の金型２と第２の金型３とは、上下方向に分離可能に組み合わされている。第１の金型２および第２の金型３は、これら両者を突き合わせた時に成形空間５を形成している。成形空間５は、第１の金型２と第２の金型３との間に位置している。
【００１９】
第２の金型３は、ゲート６を有している。ゲート６は、溶融した樹脂材料を所定の圧力で成形空間５に注入するためのものであり、導入口７を介して成形空間５の中央部に連なっている。図１は、成形空間５に樹脂材料を充填した状態を開示している。成形空間５に充填された樹脂材料は、成形空間５内で硬化することで所望の形状の成形品８を形成する。
【００２０】
本実施形態の場合、樹脂材料としてはポリーカーボネート樹脂あるいはＡＢＳ樹脂を用いており、この樹脂材料は、例えば難燃剤のような各種の添加物を含んでいる。
【００２１】
突き出しピン４は、成形品８を第１の金型２から押し上げて取り出すためのものであって、第１の金型２に組み込まれている。突き出しピン４は、成形品８を傾くことなく押し上げることができるように、成形品８の広範囲に亘って分散して配置されている。
【００２２】
図２ないし図４に示すように、突き出しピン４は、円柱状をなすとともに、第１の金型２に設けた複数のガイド孔１０に挿入されている。ガイド孔１０は、樹脂材料が流入する導入口７と向かい合わない位置で成形空間５に開口している。
【００２３】
突き出しピン４は、本体１１と頭部１２とを備えている。本体１１は、ガイド孔１０に軸方向に摺動可能に支持されている。頭部１２は、本体１１の先端となる上端に同軸状に設けられ、成形空間５に露出する押圧面１３を有している。
【００２４】
突き出しピン４は、第１の位置と第２の位置との間で昇降動可能に第１の金型２に支持されている。第１の位置では、図２に示すように突き出しピン４の押圧面１３が第１の金型２の内面と同一面上において成形空間５に露出している。第２の位置では、図８に示すように突き出しピン４の押圧面１３が第１の金型２の内面から成形空間５に向けて突出する。
【００２５】
このため、成形空間５に樹脂材料を充填する時点では、突き出しピン４は第１の位置に降下しており、その押圧面１３が第１の金型２の内面としての機能を兼ねている。突き出しピン４が第１の位置から第２の位置に上昇すると、成形品８が第１の金型２の内面から押し上げられるようになっている。
【００２６】
図２ないし図５に示すように、突き出しピン４の頭部１２は、本体１１よりも径が小さく形成されている。この頭部１２の外周面とガイド孔１０の内面との間に第１の隙間１４が形成されている。第１の隙間１４は、頭部１２の周方向に連続している。したがって、第１の隙間１４は、頭部１２の周方向に連続して成形空間５に開口するようなリング状の開口形状を有している。
【００２７】
第１の隙間１４の大きさは、頭部１２の外周面とガイド孔１０の内面との間のクリアランスＳ１に比例している。このクリアランスＳ１の値は、例えば樹脂材料の材料特性、充填圧力、充填時間などに基づいて決定される。
【００２８】
図４および図６に示すように、本体１１は、その外周面の一部を平坦にカットした切欠部１６を有している。切欠部１６は、本体１１の上端から下端に向けて軸方向に延びている。切欠部１６は、突き出しピン４が第１の位置にある限り、ガイド孔１０の内側に位置している。この切欠部１６とガイド孔１０の内周面との間に第２の隙間１７が形成されている。第２の隙間１７の下部は、第１の金型２に形成した空気逃し孔１８に連なっている。空気逃し孔１８は、第１の金型２の外部に開口している。
【００２９】
突き出しピン４は、本体１１と頭部１２との間に溝部２０を有している。溝部２０は、突き出しピン４の周方向に連続している。溝部２０は、突き出しピン４が第１の位置にある限り、ガイド孔１０の内側に位置している。溝部２０の底とガイド孔１０の内面との間のクリアランスＧ２は、頭部１２の外周面とガイド孔１０の内面との間のクリアランスＧ１よりも大きくなっている。
【００３０】
このため、溝部２０は、突き出しピン４の本体１１と頭部１２との間にくびれた部分２１を形成しており、第１の隙間１４および第２の隙間１７は、くびれた部分２１に連なっている。言い換えると、第１および第２の隙間１４，１７は、溝部２０を介して互いに連通している。
【００３１】
この結果、第１の隙間１４、溝部２０および第２の隙間１７は、突き出しピン４の外周面とガイド孔１０の内面との間に通気路２２を形成している。この通気路２２は、成形空間５と空気逃し孔１８との間に介在されて、成形空間５と第１の金型２の外部との間を結んでいる。
【００３２】
図８に示すように、突き出しピン４の頭部１２、溝部２０および溝部２０に連なる切欠部１６の上端部は、突き出しピン４が第２の位置に上昇した時に、第１の金型２の内面から成形空間５に向って突出する。そのため、突き出しピン４のうち、通気路２２の上流側を構成する部分は、成形品８を第１の金型２から押し上げる毎に、第１の金型２の外に露出される。
【００３３】
突き出しピン４の本体１１は、溝部２０に露出する端面１１ａと、この端面１１ａと本体１１の外周面とで規定される直角な角部２３とを有している。角部２３は、突き出しピン４の周方向に連続する尖った縁２３ａを含んでいる。縁２３ａは、ガイド孔１０の内面に摺動可能に接している。
【００３４】
図９は、上記金型装置１を用いて成形した成形品の一例であるポータブルコンピュータ用の筐体３０を開示している。筐体３０は、底壁３１と、この底壁３１の周縁から立ち上がる複数の周壁３２と、底壁３２の内面から立ち上がる複数の起立壁３３と、底壁３２に開口する複数の孔３４およびボス３５とを有している。この筐体３０の主要部分は、肉厚が例えば１ｍｍ未満に定められている。そのため、筐体３０そのものが薄肉で、かつ複雑な形状を有している。
【００３５】
このような筐体３０を成形する金型装置１では、例えば径が異なる１００本以上の突き出しピン４が第１の金型２に組み込まれている。これら突き出しピン４は、成形完了後の筐体３０を第１の筐体２から傾くことなく押し上げることができるように、図１０に示すように成形品８の広範囲に亘るように分散して配置されている。
【００３６】
本実施の形態の場合、例えば全体数の６０％にあたる突き出しピン４に上記のような通気路２２が設けられている。この通気路２２を設ける突き出しピン４は、成形空間５内での樹脂材料の流動方向、充填圧力、材料特性および長年の経験則を基に決定される。
【００３７】
このような構成の金型装置１では、突き出しピン４とガイド孔１０との間に成形空間５から第１の金型２の外部に至る通気路２２が形成されている。そのため、成形空間５にゲート６から樹脂材料を注入すると、図２に矢印で示すように、成形空間５に残留する空気は、樹脂材料の流動に応じて第１の隙間１４から溝部２０に流入するとともに、ここから第２の隙間１７および空気逃し孔１８を通って第１の金型２の外部に抜け出る。
【００３８】
さらに、樹脂材料を成形空間５に注入した時に、添加物の気化に伴って発するガスは、上記空気と同様に第１の隙間１４、溝部２０、第２の隙間１７および空気逃し孔１８を通って第１の金型２の外部に抜け出る。
【００３９】
言い換えると、成形空間５に注入された樹脂材料は、成形空間５に残留する空気や樹脂材料の充填時に発生するガスを通気路２２から押し出しながら、成形空間５の隅々にまで満遍なく行き渡る。この結果、成形空間５での樹脂材料の流動性が良好となり、成形空間５の全てを樹脂材料によって満たすことができる。よって、所望の形状の成形品８が得られる。
【００４０】
上記金型装置１によれば、突き出しピン４の箇所から成形空間５内の空気やガスを抜くことができ、ガス抜き用の専用の入れ子ピンおよび入れ子ブロックが不要となる。したがって、従来に比べて金型装置１の構成を簡略化して部品点数を削減することができ、金型装置１のコストを低減できる。
【００４１】
それとともに、突き出しピン４は、成形品８の広範囲に亘って分散するようにバランスよく配置されるので、成形空間５内の空気やガスを抜く位置が制約を受けることもない。このため、成形空間５内の空気やガスを成形空間５の多くの箇所から効率よく抜くことができ、成形空間５内での樹脂材料の流動性を高めることができる。
【００４２】
一方、上記金型装置１において、流通路２２の上流端に位置する第１の隙間１４は、成形空間５に開口しているので、この第１の隙間１７に樹脂材料の一部およびガスの一部が流入することがあり得る。特にガスは、ペースト状又はタール状の異物となってガイド孔１０の内面や突き出しピン４の頭部１２の外周面に付着する。
【００４３】
このような場合は、突き出しピン４やガイド孔１０に付着した樹脂材料や異物を取り除く清掃作業を実行する。具体的には、第１の金型２および第２の金型３を開いて成形品８を突き出しピン４で押し上げて取り出した状態では、突き出しピン４は第２の位置に上昇した状態にある。この時、突き出しピン４の少なくとも頭部１２、溝部２０および本体１１の上部は、第１の金型２の内面から成形空間５の方向に突出しており、第１の金型２の外に露出している。
【００４４】
そのため、頭部１２、溝部２０および本体１１の上部に付着した樹脂材料や異物を容易に取り除くことができる。
【００４５】
加えて、上記金型装置１によると、突き出しピン４の本体１１の角部２３は、ガイド孔１０の周方向に連続する尖った縁２３ａを有している。この縁２３ａは、突き出しピン４が第１の位置から第２の位置に上昇する時に、ガイド孔１０の内面に摺動可能に接触する。このため、ガイド孔１０の内面に付着した樹脂材料や異物は、突き出しピン４の上昇時に本体１１の縁２３ａによってガイド孔１０の内面から自動的に掻き取られる。この掻き取られた樹脂材料および異物は、溝部２０に導かれるとともに、この溝部２０に保持された状態で第１の金型２の外に取り出される。
【００４６】
以上のことから、たとえ樹脂材料やタール状の異物が通気路２２の第１の隙間１４に入り込んだとしても、金型装置１を分解することなく通気路２２の清掃作業を実行することができる。よって、従来のように成形品８の生産活動を長時間に亘って停止させる必要はなく、生産性が格段に向上するといった利点がある。
【００４７】
さらに、第１の隙間１４は、ガイド孔１０の周方向に連続しているので、突き出しピン４の頭部１２は、単に円柱状に形成すればよい。このため、頭部１２に複雑な機械加工を施す必要はなく、突き出しピン４のコストを低減することができる。
【００４８】
なお、本発明は上記実施の形態に特定されるものではなく、発明の主旨を逸脱しない範囲内で種々変形して実施可能である。
【００４９】
上記実施の形態では、成形空間に向けて突出する突き出しピンに対応する位置に通気路を設けている。しかしながら、本発明はこれに限らず、例えば第１の金型が突き出し動作を伴わないピンや成形空間に突出するピンを有する場合、これらピンに対応する部分に通気路を設けてもよい。
【図面の簡単な説明】
【００５０】
【図１】本発明の実施の形態に係る金型装置の断面図。
【図２】本発明の実施の形態において、第１の金型のガイド孔と突き出しピンとの位置関係を示す断面図。
【図３】本発明の実施の形態に係る突き出しピンの側面図。
【図４】（Ａ）は、本発明の実施の形態に係る突き出しピンの平面図。（Ｂ）は、本発明の実施の形態に係る突き出しピンの本体の断面図。
【図５】図１のF5−F5線に沿う断面図。
【図６】図１のF6−F6線に沿う断面図。
【図７】本発明の実施の形態において、突き出しピンが成形品を押し上げた状態を示す断面図。
【図８】本発明の実施の形態において、突き出しピンの頭部、溝部および本体の上端が第１の金型の外に露出した状態を示す断面図。
【図９】本発明の実施の形態において、金型装置によって成形される成形品の一例であるポータブルコンピュータ用の筐体を示す斜視図。
【図１０】本発明の実施の形態において、成形品と、この成形品を押し出す突き出しピンとの位置関係を示す平面図。
【符号の説明】
【００５１】
２，３…金型（第１の金型、第２の金型）、４…突き出しピン、５…成形空間、８…成形品、２２…通気路。
【図１】
2006326974.tif 000003
【図２】
2006326974.tif 000004
【図３】
2006326974.tif 000005
【図４】
2006326974.tif 000006
【図５】
2006326974.tif 000007
【図６】
2006326974.tif 000008
【図７】
2006326974.tif 000009
【図８】
2006326974.tif 000010
【図９】
2006326974.tif 000011
【図１０】
2006326974.tif 000012